(57)【要約】【課題】  電気ポットの注ぎ口にジャバラ口を取り付け自在に伸縮し、角度を変える事で電気ポットの注ぎ口の下に置いた湯飲み茶碗のお湯がハネない事を提供する。【解決手段】  電気ポットの吐出部に、回転させながら溝を切った形を設け、ジャバラ状円筒部を回転させながら取り付けて着脱可能にし、自在に長さを伸ばしたりや角度を変えて調節する。また、容器の中にティーバッグを入れ、容器の蓋と容器を吐出部に取り付けできるようにし、その際、容器とジャバラ状円筒部は回転させながら継ぐ事ができる電気ポット。【選択図】図４
2009136642.tif 000002
【特許請求の範囲】
【請求項１】
電気ポット（１）の吐出部（５）に、回転させながら溝を切った形を設け、これに適合したキャップ（６）を設ける電気ポット。
【請求項２】
電気ポット（１）の吐出部（５）に、回転させながら溝を切った形を設け、これに適合したキャップ（６）を外し、ジャバラ状円筒部（８）や容器の蓋（１１）とティーバッグ等を入れる容器（１２）を回転させながら着脱可能にする電気ポット。
【請求項３】
電気ポット（１）の吐出部（５）に、回転させながら溝を切った形を設け、これに適合したキャップ（６）を外し、ジャバラ状円筒部（８）の入り口の上部に切り込みを入れておき、キャップやワッシャを通してから切り込みを開き、電気ポットの吐出部にジャバラ状円筒部を、キャップを回転させながら着脱可能にする電気ポット。
【請求項４】
電気ポット（１）に、キャップ（６）やジャバラ状円筒部（８）やティーバッグ等を、収納する収納部（３）を設ける電気ポット。
【発明の詳細な説明】
【技術分野】
【０００１】  一般家庭用のテーブル等に置いて使用する電気ポットの注ぎ口に、ジャバラ口を取り付ける事に関するものである。
【背景技術】
【０００２】  従来は、コーヒーを飲む時に、電気ポットの注ぎ口にコーヒーカップを、片手で一個一個持って、コーヒーカップにお湯を入れていた。【０００３】  従来は、お茶を飲む時に、電気ポットの注ぎ口から急須に茶葉を入れお湯を注ぎ、湯飲み茶碗に急須からお茶を入れていた。
【発明の開示】
【発明が解決しようとする課題】
【０００４】  解決しようとする問題点は、テーブル等に電気ポットを置いて注ぎ口の下に、コーヒーカップやカップ麺等を置いてお湯を注ぐと、お湯がハネていた。【０００５】  また、湯飲み茶碗等にティーバッグを入れてからお湯を注いだり、急須に茶葉を入れ電気ポットの注ぎ口からお湯を入れて、湯飲み茶碗に急須からお茶を注いだりしで使用していた。【０００６】  そのため、電気ポットの注ぎ口にジャバラ口を設けたり、ティーバッグを入れる容器を設けたりする方がよい。
【課題を解決するための手段】
【０００７】  電気ポット（１）の吐出部（５）に、回転させながら溝を切った形を設け、これに適合したキャップ（６）を外し、ジャバラ状円筒部（８）を回転させながら取り付けて、自在に長さを伸縮したり角度を変えたり調節する。【０００８】  また、電気ポット（１）の吐出部（５）に回転させながら溝を切った形を設け、これに適合したキャップ（６）を外し、容器の蓋（１１）を回転させながら容器（１２）にティーバッグを入れ、容器の蓋と容器を回転させながら吐出部に取り付ける。【０００９】  その際、容器（１２）の出口とジャバラ状円筒部（８）の入り口は、同じ太さにし回転させながら継ぐ事ができる。
【発明の効果】
【００１０】  この考案により、ジャバラ状円筒部は、自在に長さが伸縮するため、片手をケガした人や脳梗塞で片腕が動かなくなった人やテロ、地雷で片腕を失った人等が、コーヒーカップを持つ必要がない。そのため、お湯がハネないのでやけどの心配がない。【００１１】  この考案により、ティーバッグ等を入れる容器の蓋（１１）や容器（１２）を設ける事により、急須がいらない。【００１２】  この考案により、ティーバッグを入れた容器（１２）とジャバラ状円筒部（８）を、継ぐ事によって自在に伸縮や角度を変えられるため、多数の湯飲み茶碗等に回し入れる事ができる。
【発明を実施するための最良の形態】
【００１３】  電気ポット（１）の吐出部（５）のキャップ（６）を外し、吐出部に回転させながら溝を切った形を設け、ジャバラ状円筒部（８）を回転させながら取り付けて、自在に長さや角度を変えられ調節できる電気ポット。【００１４】  また、電気ポットの吐出部のキャップを外し、吐出部に回転させながら溝を切った形を設け、容器の蓋（１１）を回転させながら取り外し、容器（１２）にティーバッグを入れ容器の蓋と容器を回転させ取り付け、吐出部に取り付ける電気ポット。【００１５】  その際、容器（１２）の出口とジャバラ状円筒部（８）の入り口は、同じ太さにし継ぐ事ができる電気ポット。
【実施例】
【００１６】  ジャバラ状円筒部やキャップを収納する場所は、電気ポットの底の部分でもよい。【００１７】  ジャバラ状円筒部は、洗えないため、コストを安くして使い捨てが望ましい。【００１８】  容器の出口は、ティーバッグの量やハーブの量を考え、容器の蓋の入り口とは違う太さにしてもよい。【００１９】  容器の出口は、茶葉やハーブ等を入れてもいいように、網目にした方がよい。
【産業上の利用可能性】
【００２０】  ケガや脳梗塞で右側の片腕が不自由な方が、右利きの急須を左手で持って湯飲み茶碗にお茶を注ぐよりは、病院や介護施設等から退室する時に、だれかが、容器にティーバッグや茶葉等を入れて置けば、あとは一人で飲む事ができる。【００２１】  会議や集会所等で多勢の方々にお茶を出す時、手に湯飲み茶碗を持たず、回し入れる事ができ簡単である。【００２２】  イベント会場で多勢の方々にアイスコーヒーを出す時、ポットに氷と水を入れておき紙コップに粉末コーヒーを入れ、回し入れる事ができ簡単である。
【図面の簡単な説明】
【００２３】
【図１】電気ポットの吐出部に、回転させながら溝を切った形を設けた電気ポットの斜視図である。
【図２】電気ポットの吐出部に、回転させながら溝を切った形を設け、溝を隠すためのキャップを外した電気ポットの側面図である。
【図３】電気ポットの吐出部に、回転させながら溝を切った形を設け、ジャバラ状円筒部を縮めて取り付けた電気ポットの側面図である。
【図４】電気ポットの吐出部に、回転させながら溝を切った形を設け、ジャバラ状円筒部を伸ばして取り付けた電気ポットの側面図である。
【図５】電気ポットの吐出部に、回転させながら溝を切った形を設け、容器の蓋と容器を取り付けた電気ポットの側面図である。
【図６】ジャバラ状円筒部を伸ばした例の側面図である。
【図７】容器の蓋と容器の例の斜視図である。
【図８】ジャバラ状円筒部の入り口の上部に切り込みを入れておき、キャップやパッキンを通してから切り込みを開き展開した斜視図である。
【図９】電気ポットの吐出部に容器の蓋と容器を取り付け、さらに、ジャバラ状円筒部をつなげ、角度を変え回しながら注いでいる全体図である。
【符号の説明】
【００２４】１  電気ポット
２  蓋
３  収納部
５  吐出部
６  キャップ
８  ジャバラ状円筒部
１１  容器の蓋
１２  容器
【図１】
2009136642.tif 000003
【図２】
2009136642.tif 000004
【図３】
2009136642.tif 000005
【図４】
2009136642.tif 000006
【図５】
2009136642.tif 000007
【図６】
2009136642.tif 000008
【図７】
2009136642.tif 000009
【図８】
2009136642.tif 000010
【図９】
2009136642.tif 000011